(57)【特許請求の範囲】
【請求項１】
小断面部及び拡張部を有している本体と、前記小断面部の外周面に取り付けられ、耳への着用に際して外耳道の内周面と密着されて前記小断面部の外周面と前記外耳道の内周面との間を遮断するイヤパッドと、を備える耳栓において、
前記小断面部と前記拡張部との間に設けられ、前記小断面部に対する前記拡張部の姿勢を調整可能にする柔軟部を備え、
前記ボリューム調節手段は、外側表面に形成された回動支持部を備えて前記拡張部の端部に形成された開口に取り付けられて前記開口を閉塞し、少なくとも一部分に前記拡張部の内部空間を外部と連通させる第１の通孔が形成されている支持枠、及び、
回動角度の調整のための取っ手を備え、前記回動支持部材に回動自在に設けられ、少なくとも一部分に回動角度に応じて前記第１の通孔と重なり合うように配置されて前記拡張部の内部空間を外部と連通させたり、前記第１の通孔との重なり合いが解除されて前記第１の通孔を閉塞したりする第２の通孔が形成されている回動部材を備え、
前記支持枠の内側表面にフィルタ取付部が形成されており、前記フィルタ取付部には、ハウリングの除去及び防湿のための防湿フィルタが設けられたことを特徴とする耳栓。
【請求項２】
前記柔軟部には、外部の衝撃に対して緩衝作用を行うひだ部が設けられたことを特徴とする請求項１に記載の耳栓。
【請求項３】
前記本体の内部に沿っては、前記小断面部、前記柔軟部及び前記拡張部を通過するボリューム調節用孔が穿孔されており、前記拡張部には、前記ボリューム調節用孔を外部から遮断したり、外部に開放したりするためのボリューム調節手段が設けられたことを特徴とする請求項１に記載の耳栓。
【請求項４】
前記本体の内部に沿っては、前記小断面部、前記柔軟部及び前記拡張部を通過するボリューム調節用孔が穿孔されており、前記拡張部には、前記ボリューム調節用孔を外部から遮断したり、外部に開放したりするためのボリューム調節手段が設けられたことを特徴とする請求項２に記載の耳栓。
【請求項５】
前記第１の通孔及び前記第２の通孔はそれぞれ複数ずつ形成されており、前記第１の通孔及び前記第２の通孔が重なり合うように配置される数が複数になるように調整可能であることを特徴とする請求項１に記載の耳栓。
【請求項６】
請求項１乃至請求項４のうちのいずれか一項に記載の一対の耳栓と、
前記一対の耳栓が収容される耳栓収容部及び中央部にイヤパッドを差し込む突出部が形成されている一対のイヤパッド取付部を有する下ケースと、
前記一対のイヤパッド取付部に取り付けられた少なくとも一対のイヤパッドと、
前記下ケースに向かい合うように取着されて前記一対の耳栓及び前記一対のイヤパッドを取り囲んで保護する上ケースと、
を備えることを特徴とする耳栓セット。
【発明の詳細な説明】
【技術分野】
【０００１】
本発明は、耳栓及び耳栓セットに係り、特に、耳に着用して騒音や大きな音が聞こえないようにするか、又は、大きな音から鼓膜を保護するのに用いられる耳栓及び耳栓セットに関する。
【背景技術】
【０００２】
一般に、音が激しく発生する作業現場で仕事をするか、ヘリコプタに搭乗するか、又は音に敏感な者が騒音を避けたいとき、耳に耳栓を着用して音や騒音が聞こえないようにするか、又は、小さく聞こえるようにする。
【０００３】
既存に知られている耳栓としては、韓国公開特許第１０−２００５−００３３００９号公報（発明の名称：広告用キャップ付き耳栓、発明者：バク・ジンヨン）に開示されたものが挙げられる。このバク・ジンヨンによる発明は、本体の一方の側に耳孔に嵌め込まれる耳孔嵌込部が一体に形成され、内部に通孔が形成されてフィルタが嵌合した耳栓において、一方の側に広告面が形成され、他方の側に嵌合部が形成された円板状の広告用キャップを別途に形成し、本体の耳孔嵌込部の反対側の面に前記広告用キャップの嵌合部が嵌合する嵌合溝を凹設することにより、耳栓の遮音作用による聴力の保護と、広告及び広報効果を同時に得るようにしたものである。
【０００４】
上述した既存 の耳栓は、本体が変形され難いため、着用者の耳部分の身体構造に応じてよくない着用感を感じるおそれがある。このような点を改善するためには、着用者の耳部分の身体構造に応じて様々な形状の本体を製作せねばならないという問題がある。
【０００５】
また、既存の耳栓は、本体に加えられる外部の衝撃が着用者の耳にそのまま伝わるが故に、耳栓の着用者が怪我をするおそれがあるという問題があり、着用者がしばらくの間他人と会話をしようとするときには、着用していた耳栓を耳から抜脱してから会話を終えた後に再び着用せねばならないため使い勝手が悪いという問題もある。
【０００６】
更に、既存の耳栓は、一応着用した後には外部の音が聞き難いが故に、騒音を低減させながらも、他人との会話や特定の音を聴く必要があるところでは使用し難い。
【先行技術文献】
【特許文献】
【０００７】
【特許文献１】韓国公開特許第１０−２００５−００３３００９号公報
【発明の概要】
【発明が解決しようとする課題】
【０００８】
本発明の目的は、着用者の耳部分の身体構造に応じて適応的に変形されることから、従来のものに比べてより多数の人々が着用し易い耳栓を提供することにある。
本発明の目的は、本体に働く外部の衝撃を緩衝することのできる耳栓を提供することにある。
【０００９】
本発明の他の目的は、外部の騒音の大きさを減らしながらも、必要な音を聴くことのできる耳栓を提供することにある。
【００１０】
本発明の更に他の目的は、外部から聞こえる音の大きさを調整することのできる耳栓を提供することにある。
【００１１】
本発明の更に他の目的は、本発明による耳栓の保管及び流通が手軽に行える耳栓セットを提供することにある。
【課題を解決するための手段】
【００１２】
本発明による耳栓は、小断面部及び拡張部を有している本体と、前記小断面部の外周面に取り付けられ、耳への着用に際して外耳道の内周面と密着されて前記小断面部の外周面と前記外耳道の内周面との間を遮断するイヤパッドと、を備える耳栓において、前記小断面部と前記拡張部との間に設けられ、前記小断面部に対する前記拡張部の姿勢を調整可能にする柔軟部を備えることを特徴とする。
前記柔軟部には、外部の衝撃に対して緩衝作用を行うひだ部が設けられたことが好ましい。
【００１３】
前記本体の内部に沿っては、前記小断面部、前記柔軟部及び前記拡張部を通過するボリューム調節用孔が穿孔されており、前記拡張部には、前記ボリューム調節用孔を外部から遮断したり、外部に開放したりするためのボリューム調節手段が設けられたことが好ましい。
【００１４】
前記ボリューム調節手段は、外側表面に形成された回動支持部を備えて前記拡張部の端部に形成された開口に取り付けられて前記開口を閉塞し、少なくとも一部分に前記拡張部の内部空間を外部と連通させる第１の通孔が形成されている支持枠及び回動角度の調整のための取っ手を備え、前記回動支持部材に回動自在に設けられ、少なくとも一部分に回動角度に応じて前記第１の通孔と重なり合うように配置されて前記拡張部の内部空間を外部と連通させたり、前記第１の通孔との重なり合いが解除されて前記第１の通孔を閉塞したりする第２の通孔が形成されている回動部材を備えることが好ましい。
【００１５】
前記支持枠の内側表面にフィルタ取付部が形成されており、前記フィルタ取付部には、ハウリングの除去及び防湿のための防湿フィルタが設けられたことが好ましい。
前記第１の通孔及び前記第２の通孔はそれぞれ複数ずつ形成されており、前記第１の通孔及び前記第２の通孔が重なり合うように配置される数が複数になるように調整可能であることが好ましい。
【００１６】
本発明による耳栓セットは、本発明による一対の耳栓と、前記一対の耳栓が収容される耳栓収容部及び中央部にイヤパッドを差し込む突出部が形成されている一対のイヤパッド取付部を有する下ケースと、前記一対のイヤパッド取付部に取り付けられた少なくとも一対のイヤパッドと、前記下ケースに向かい合うように取着されて前記一対の耳栓及び前記一対のイヤパッドを取り囲んで保護する上ケースと、を備えることを特徴とする。
【発明の効果】
【００１７】
本発明によれば、本体を構成する小断面部と拡張部との間に相互間の姿勢を調整可能にする柔軟部が配備されていることから、様々な耳の身体構造を有する者に良好な着用感を提供することができる。
【００１８】
本発明によれば、柔軟部、特に、柔軟部を構成するひだ部が本体に加えられる外部の衝撃を緩衝することから、着用者が怪我をする可能性を低める。
【００１９】
本発明によれば、着用した状態で外部から流入する音の大きさを調整することができ、場合によって、着用した状態で他人と会話をしたり必要な音を聴いたりすることができる。
【００２０】
本発明によれば、着用した状態で外部から流入する音波を遮断したり音波の量を低減させたりすることができる。
【００２１】
これらに加えて、本発明によれば、ひだ部及び防湿フィルタにおいて二重にハウリングを除去することができる。
【図面の簡単な説明】
【００２２】
【図１】本発明による耳栓の斜視図である。
【図２】図１の耳栓の分離斜視図である。
【図３】図１のＩ−Ｉによる断面図である。
【図４】図１のＪ−Ｊによる断面図である。
【図５】支持枠に形成された第１の通孔及び回動部材に設けられる第２の通孔を用いてボリュームを調節する状態を説明するための図である。
【図６】本発明による耳栓を有する耳栓セットを示す断面図である。
【図７】図６の下ケースの断面図である。
【図８】図６の上ケースの断面図である。
【発明を実施するための形態】
【００２３】
以下、添付図面に基づき、本発明の好適な実施形態を詳述する。
【００２４】
図１は、本発明による耳栓の斜視図であり、図２は、図１の耳栓の分離斜視図であり、図３は、図１のＩ−Ｉによる断面図であり、図４は、図１のＪ−Ｊによる断面図である。
【００２５】
図１から図４に示すように、本発明による耳栓１００は、小断面部１１０及び拡張部１２０を有する本体１０１と、本体１０１の小断面部１１０の外周面に取り付けられるイヤパッド１３０及び本体１０１の拡張部１２０に設けられたボリューム調節手段１４０を備えている。
【００２６】
本体１０１には、小断面部１１０及び拡張部１２０の内部を通過するボリューム調節用孔１０２が穿孔されており、小断面部１１０の外周面に沿っては、イヤパッド１３０が取り付けられた状態から抜脱しないようにするための溝１１１が凹設されている。
【００２７】
拡張部１２０の端面部には、ボリューム調節用孔１０２を外部と連通させる開口１２１が形成されている。
【００２８】
本体１０１の小断面部１１０と拡張部１２０との間に柔軟部１６０が形成されている。この柔軟部１６０は、耳栓１００を着用する者の耳部分の身体構造に応じて断面部１１０に対する拡張部１２０の姿勢を適応的に調整できるようにして楽な着用感を持たせる役割を果たすものであり、その内部にはボリューム調節用孔１０２が通過されている。このような柔軟部１６０は、図示の如く、ひだ部１６２を有するように形成して、本体１０１に働く外部の衝撃に対して緩衝作用を行うようにすることが好ましい。ひだ部１６２に形成されるひだの数は、約３つであることが適当であるが、増減可能である。柔軟部１６０にひだ部１６２を形成すると、内部を通過する音波の屈折にハウリングの除去の効果も期待できる。このような本体１０１は、ウレタン製であることが好ましい。
【００２９】
イヤパッド１３０は、小断面部１１０の外周面に取り付けられるものであり、二重壁の円筒状を呈しており、内周面の内側端部に内側に突出されて溝１１１に係合される係合爪１３１を有する。このイヤパッド１３０は、耳に着用したときに外耳道の内周面に密着されて小断面部１１０の外周面と外耳道の内周面との間を遮断して役割を果たすものであり、自体弾性を有しているため外耳道に固定される。このようなイヤパッド１３０は、シリコン製であることが好ましい。
【００３０】
ボリューム調節手段１４０は、開口１２１を介して拡張部１２０に取り付けられている。このボリューム調節手段１４０は、ボリューム調節用孔１０２を外部から遮断したり、外部に開放したりして外部から流入する音波の通路を大きくしたり、小さくしたり、遮断したりして、着用者が聴く音の大きさを調整可能にするためのものである。
【００３１】
上述した機能を有するボリューム調節手段１４０は、支持枠１４１と、回動部材１５１と、を備える。支持枠１４１は、外側表面に形成された回動支持部１４２を有し、拡張部１２０の端部に形成された開口１２１に取り付けられて開口１２１を閉塞している。回動支持部 １４２の内周面は、ここに取着される回動部材１５１が抜脱され難いように外側に膨らんでいる形状を呈する。ある程度の力を加えて回動部材１５１を強制的に組み立てたり分解したりできるように回動支持部１４２の外側の周縁に間隔を隔てて分割溝１４３を形成して、内側に突出された部分をいくつかに分割することが好ましい。
【００３２】
支持枠１４１の外周面に沿っては、開口１２１に固定するための環状溝１４４が形成されている。このような支持枠１４１には、少なくとも一部分に拡張部１２０の内部空間を外部と連通させる第１の通孔１４５が形成されている。好ましくは、第１の通孔１４５は２以上の複数が形成され、本実施形態においては、３つが同じ半径の半分の円周の上に間隔をあけて設けられており、反対側の半分の円周の上に１つが設けられて合計で４つが設けられたことを示している。場合によって、第１の通孔１４５は、中心を基準として対称ｙとなる位置にそれぞれ１つずつ２つが設けられてもよい。また、場合によって、１つのみが円形状に形成されるか、又は、長尺の長孔状に形成されてもよく、様々な形状及び面積に変更されて形成されてもよい。
【００３３】
好ましくは、支持枠１４１の内側表面にフィルタ取付部１４６が形成されており、このフィルタ取付部１４６にハウリングの除去及び防湿のための防湿フィルタ１７０が設けられている。この防湿フィルタ１７０は、ＰＳ発泡材により製作されることが好ましい。本実施形態において、防湿フィルタ１７０としては、支持枠１４１のフィルタ取付部１４６に取り付けられたものを例示しているが、拡張部１２０の内部などその他のボリューム調節孔１０２の内部において本体１０１に固設されてもよい。
【００３４】
また、支持枠１４１の外側表面には、目盛や段数を表示してユーザが手軽に所望の位置に取っ手１５２を合わせるようにする。
【００３５】
回動部材１５１は、好ましくは、外側表面に突出された取っ手１５２を有する。この取っ手１５２は、回動部材１５１の回動角度の調整のためのものである。この回動部材１５１は、回動支持部１４２に回動自在に設けられている。この回動部材１５１の外周面は外側に膨らんでいる形状を呈しているため、大きな力を加えない限り、回動支持部１４２から抜脱されない。
【００３６】
回動部材１５１には、第２の通孔１５３が形成されている。第２の通孔１５３もまた複数設けられてもよいが、場合によって１つのみ設けられてもよく、形状及び面積も種々に変更可能である。好ましくは、第２の通孔１５３は２つ以上の複数が小さい円形状に形成される。本実施形態において、第２の通孔１５３としては、取っ手１５２を中心としてその両側に１つずつ合計で２つが形成されたものを示している。
【００３７】
上述した支持枠１４１及び回動部材１５１は、ＡＢＳ樹脂製であることが好ましく、その他のプラスチック材料により製作されてもよい。
【００３８】
図５は、支持枠に形成された第１の通孔及び回動部材に設けられる第２の通孔を用いてボリュームを調節する状態を説明するための図である。
【００３９】
図５（ａ）は、第２の通孔１５３が第１の通孔１４５と全く重なり合わない状態（０段）、図５（ｂ）は、第２の通孔１５３及び第１の通孔１４５が１つずつのみ重なり合う状態（１段）、図５（ｃ）は、第２の通孔１５３及び第１の通孔１４５が２つずつ重なり合う状態（２段）にしてボリュームを調節する状態を示す図である。
【００４０】
すなわち、本発明による耳栓１００は、耳に着用した状態でも取っ手１５２を把持して回動部材１５１を回転させて、図５（ａ）に示すように、 外部の騒音や音を遮断したり、図５（ｂ）に示すように、１つずつの第１及び第２の通孔１４５、１５３のみを重ね合わせて騒音や音が小さく聞こえるようにしたり、図５（ｃ）に示すように、２つずつの第１及び第２の通孔１４５、１５３を重なり合わせて図５（ｂ）よりも騒音や音が相対的に大きく聞こえるように調節したりする。
【００４１】
図６は、本発明による耳栓を有する耳栓セットを示す断面図であり、図７は、図６の下ケースの断面図であり、図８は、図６の上ケースの断面図である。
【００４２】
図６から図８に示すように、本発明による耳栓セット２００は、図１から図４に基づいて説明した一対の耳栓１００と、この一対の耳栓１００を内部に収容して保護するためのケース１８０と、を有する。
【００４３】
一対の耳栓１００は、上述した耳栓１００と同様である。
【００４４】
ケース１８０は、下ケース１８１及び下ケース１８１と向かい合うように組み合わせられて耳栓１００を取り囲んで保護する上ケース１８７を備える。図６及び図７に示すように、下ケース１８１は、一対の耳栓１００が収容される耳栓収容部１８２及び中央部にイヤパッド１３０を差し込む突出部１８３が形成されている一対のイヤパッド取付部１８４を備えている。好ましくは、突出部１８３には、耳栓１００に設けられたイヤパッド１３０とは異なる大きさを有するものを取り付けて、ユーザが自分の耳に合うものを選んで使用するようにすることが好ましい。
【００４５】
図６及び図８に示すように、上ケース１８７は、下ケース１８１と向かい合うように組み合わせられて一対の耳栓１００及び一対のイヤパッド１３０を取り囲んで保護し、異物がケース１８０の内部に入り込まないようにする役割を果たす。
【００４６】
上ケース１８７及び下ケース１８１の材料としては、透明度、熱変形性、耐化学性、光沢性などに優れたスチレン−アクリロニトリル共重合（ＳＡＮ：Ｓｔｙｒｅｎｅ Ａｃｒｙｌｏｎｉｔｒｉｌｅ Ｃｏｐｏｌｙｍｅｒｓ）樹脂が好適に用いられる。
【００４７】
このように、本発明による耳栓１００を下ケース１８１及び上ケース１８７からなるケース１８０に入れると、耳栓１００の保管及び流通を手軽に行うことができ、しかも、埃や異物から耳栓１００を保護することができる。
【００４８】
また、ケース１８０の内部のイヤパッド取付部１８４に耳栓１００に設けられたものとは異なる大きさを有するイヤパッド１３０を取り付けておくと、ユーザが自分の耳に合うものを選らんで使用することができる。
【産業上の利用可能性】
【００４９】
本発明は、騒音や外部の音が聞こえる度合いを調整することができ、外部の衝撃を緩衝することができ、ハウリングを除去することのできる耳栓及び耳栓セットを製造するのに用いられる可能性がある。
【図１】
0006277502.tif 000002
【図２】
0006277502.tif 000003
【図３】
0006277502.tif 000004
【図４】
0006277502.tif 000005
【図５（ａ）】
0006277502.tif 000006
【図５（ｂ）】
0006277502.tif 000007
【図５（ｃ）】
0006277502.tif 000008
【図６】
0006277502.tif 000009
【図７】
0006277502.tif 000010
【図８】
0006277502.tif 000011